【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
表示フレーム期間内に複数の表示期間と前記表示期間に挟まれた非表示期間を形成し、前記表示期間でディスプレイパネルに表示データの表示を行い、前記表示期間及び前記非表示期間の制御には、複数の表示フレーム期間毎にその前記表示フレーム期間単位で前記表示期間の開始タイミングと前記非表示期間の開始タイミングを変化させる第１フレームモードの制御データと、前記表示期間の開始タイミングと前記非表示期間の開始タイミングが前記第１フレームモードとは異なる第２フレームモードの制御データとを用いるディスプレイコントローラと、
前記非表示期間でタッチパネルにタッチ検出を行うように構成されたタッチコントローラと、
前記タッチコントローラによるタッチ検出結果に基づいて、前記ディスプレイコントローラによる前記第１フレームモードの制御データ及び前記第２フレームモードの制御データの用い方を変更するマイクロプロセッサと、を有する表示制御及びタッチ検出装置。
【請求項２】
前記ディスプレイコントローラは、前記表示フレーム期間単位で前記表示期間と前記非表示期間の開始タイミングを相違させる制御として、前記第１フレームモードの制御データと第２フレームモードの制御データを用いて、前記表示フレーム期間毎に最初の表示期間を所定期間漸増させ、最後の表示期間を前記所定期間短縮する制御を行う、
請求項１に記載の表示制御及びタッチ検出装置。
【請求項３】
前記ディスプレイコントローラは、前記第１フレームモードにおいて、表示動作を表示期間に許可し、タッチ検出を非表示期間に許可する、
請求項１又は２に記載の表示制御及びタッチ検出装置。
【請求項４】
前記ディスプレイコントローラは、前記第２フレームモードにおいて表示動作を表示期間に許可し、タッチ検出を抑止する、
請求項１乃至３のいずれか１項に記載の表示制御及びタッチ検出装置。
【請求項５】
前記ディスプレイコントローラは、前記第１フレームモードに対応して複数の表示フレーム期間における表示フレーム期間単位での前記表示期間及び前記非表示期間の夫々の開始タイミングを規定する表示フレーム期間毎の第１制御データの複数セットを前記第１フレームモードの制御データとし、前記第２フレームモードに対応して複数の表示フレーム期間における前記表示フレーム期間単位での前記表示期間及び前記非表示期間の夫々の開始タイミングを規定する表示フレーム期間毎の第２制御データの複数セットを前記第２フレームモードの制御データとして、書換え可能に保持する不揮発性メモリと、
前記マイクロプロセッサからのモード指定に従って表示フレーム期間毎に前記第１制御データ及び前記第２制御データの複数セットの中から選択したセットの制御データに基づいて表示フレーム期間内における表示期間及び非表示間の夫々に応ずる制御信号を生成する制御論理と、を有する、
請求項１乃至４のいずれか１項に記載の表示制御及びタッチ検出装置。
【請求項６】
前記第１制御データ及び前記第２制御データは、前記表示フレーム期間の表示ライン周期に同期する表示ラインクロックのクロックサイクル数によって前記表示期間及び非表示期間の開始タイミングを規定するデータである、
請求項５に記載の表示制御及びタッチ検出装置。
【請求項７】
前記制御論理は、前記マイクロプロセッサからのモード指定に従って表示フレーム期間毎に前記第１制御データ及び前記第２制御データの夫々の複数セットのうちのセットのデータを選択する第１制御論理と、
前記表示フレーム期間毎に表示ラインクロックのサイクル数を計数しながら、前記第１制御論理で選択したデータが規定する表示フレーム期間内における表示期間及び非表示間の夫々の開始タイミングにその計数値が到達することに応じて順次状態信号を生成する第２制御論理と、
前記状態信号を受け取り、受け取った状態信号に応じて表示制御信号を生成する第３制御論理と、を有し、
前記タッチコントローラは、前記状態信号を受け取り、受け取った状態信号に応じて前記タッチ検出に用いられるタッチ制御信号を生成する、
請求項６に記載の表示制御及びタッチ検出装置。
【請求項８】
前記マイクロプロセッサは、リセット処理に続いて前記ディスプレイコントローラに前記制御データの用い方を指示する第２表示モードを通知し、前記第２表示モードの通知後にタッチ有りが検出されることにより前記ディスプレイコントローラに前記制御データの別の用い方を指示する第１表示モードを通知し、前記第１表示モードの通知後にタッチ有りが検出されることなく所定時間が経過したとき前記ディスプレイコントローラに前記第２表示モードを通知する、
請求項１乃至７のいずれか１項に記載の表示制御及びタッチ検出装置。
【請求項９】
前記第１表示モードは、前記複数の表示フレーム期間を単位とした前記第１フレームモードを連続する動作モードであり、
前記第２表示モードは、前記複数の表示フレーム期間を単位とした前記第２フレームモードをその一部の表示フレーム期間で実行し、最後の表示フレーム期間で前記第１フレームモードをその一つの表示フレーム期間で実行する動作、を繰り返す動作モードであり、
前記ディスプレイコントローラは、前記第１フレームモードの夫々の表示フレーム期間において、表示期間に表示動作を実行しタッチ検出を不許可とし、非表示期間にタッチ検出を許可し表示動作を停止とし、前記第２フレームモードの夫々の表示フレーム期間において、表示期間に表示動作を実行しタッチ検出を不許可とし、非表示期間に表示動作を停止としタッチ検出を不許可とする、
請求項８に記載の表示制御及びタッチ検出装置。
【請求項１０】
前記制御論理はプログラムデータで規定された制御手順に従って処理を行うプログラム処理回路であり、指定モードに従って前記第１制御データ及び前記第２制御データの中からどのセットのデータを選択するかは前記プログラムデータによって決定される、
請求項５乃至７のいずれか１項に記載の表示制御及びタッチ検出装置。
【請求項１１】
前記第１制御論理は、指定モードに従って前記第１制御データ及び前記第２制御データの中からどのセットのデータを選択するかをプログラムデータに基づいて制御する、
請求項７に記載の表示制御及びタッチ検出装置。
【請求項１２】
前記ディスプレイコントローラは、先入先出し形式でアクセスされ、ホスト装置から供給される表示データが、前記制御論理の制御に基づいて前記表示期間及び非表示期間の両方で書き込まれるバッファメモリを有する、
請求項５に記載の表示制御及びタッチ検出装置。
【請求項１３】
前記バッファメモリは一つの表示フレームに表示可能な最大表示データ量よりも少ないデータ量の記憶容量を有する、
請求項１２に記載の表示制御及びタッチ検出装置。
【請求項１４】
表示フレーム期間内に複数の表示期間と前記表示期間に挟まれた非表示期間を形成し、前記表示期間でディスプレイパネルに表示制御を行い、前記非表示期間でタッチパネルにタッチ検出を行い、複数の表示フレーム期間毎にその表示フレーム期間単位で前記表示期間の開始タイミングと前記非表示期間の開始タイミングを変化させる制御を行うように構成された表示制御及びタッチ検出装置において、
複数の表示フレーム期間毎にその前記表示フレーム期間単位で前記表示期間の開始タイミングと前記非表示期間の開始タイミングを変化させる第１フレームモードの制御データと、前記表示期間の開始タイミングと前記非表示期間の開始タイミングが前記第１フレームモードとは異なる第２フレームモードの制御データとを用いて前記表示期間及び前記非表示期間を制御する第１制御部と、
前記タッチ検出によるタッチ検出結果に基づいて、前記第１制御部による前記第１フレームモードの制御データと前記第２フレームモードの制御データとの用い方を変更する第２制御部とを有する表示制御及びタッチ検出装置。
【手続補正２】
【補正対象書類名】明細書
【補正対象項目名】発明の名称
【補正方法】変更
【補正の内容】
【発明の名称】表示制御及びタッチ検出装置